(57)【要約】      （修正有）【課題】需要者が実店舗で書籍を購入するモチベーションを向上させ、また、需要者を特定の書籍に注目させることができる売り上げカードを提供する。【解決手段】書籍用の売り上げカード１であって、カード本体３から突出する上部のぼうず部分２が、半円形以外の図形を象った形状か、直径（底部の幅）が２．５ｃｍ以上の半円形を有していることからなる。【選択図】図１
0003200986.tif 000002
【実用新案登録請求の範囲】
【請求項１】
書籍用の売り上げカードであって、
カード本体から突出する上部が、半円形以外の図形を象った形状か、直径2.5cm以上の半円形を有していることを特徴とする売り上げカード。
【請求項２】
前記図形が、自然物、人工物、キャラクター、多角形、又は創作図形であることを特徴とする請求項１に記載の売り上げカード。
【請求項３】
前記突出する上部が、最大部で幅2.5cm以上、高さ1.0 cm以上の寸法を有することを特徴とする請求項１又は２に記載の売り上げカード。
【請求項４】
前記突出する上部が、最大部で幅が4.5cm以上の寸法を有することを特徴とする請求項１から３のいずれか１項に記載の売り上げカード。
【請求項５】
前記突出する上部に、文字、図形又はマトリクス型２次元バーコードの少なくともいずれかが記載されていることを特徴とする請求項１から４のいずれか１項に記載の売り上げカード。
【請求項６】
本体とぼうずとを合わせて一つの図形が構成されていることを特徴とする請求項１から５のいずれか１項に記載の売り上げカード。
【考案の詳細な説明】
【技術分野】
【０００１】
本考案は、書籍に使用される売り上げカードに関する。
【背景技術】
【０００２】
近年、インターネットの急速な普及により、様々な分野で電子化・ペーパーレス化が進んでいるが、書籍はその代表的な例である。
統計によれば、2014年の出版物の推計販売額は１兆６０６５で２０１３年に比べ4.5％減となり、歴代で最大の落ち込み幅となっている。さらに、10年連続で前年割れしており、最大だった1996年の２兆６５６４億円と比べると、約４割減となってしまっている。このように、近年は書籍の発行部数は急速に落ち込んでいる。
さらに、このような状況を受け、書店の実店舗数は減少が続いている状態にある。2014年の全国の書店数は、1999年と比べると約４割減少しており、危機的状況とも言える環境下にある。
このように、書店等は、将来的に存続の危機に瀕している状態にあり、出版社等も売り上げが減少し困難な状況にある。
【０００３】
その一方、インターネット通販による書籍の販売は伸びを見せている。しかしながら、出版社や製本業界の成長、市場規模や雇用の維持を考えると、減少した書籍の売り上げを担保するのに十分とはいえない。そこで、書店（実店舗）による書籍の販売の維持は今なお重要なファクターである。
すなわち、書店での実販売を増やすためには、需要者が書店に足を運び書籍を購入するモチベーションを向上させるような仕掛けが必要となっている。
さらに、出版側からの観点では、年間に数万点書籍が発行される現在において、需要者がその書籍に注目するような仕掛けも必要である。
【考案の概要】
【考案が解決しようとする課題】
【０００４】
そこで、本考案の目的は、需要者が実店舗で書籍を購入するモチベーションを向上させるような仕掛け、また、需要者を特定の書籍に注目させるための仕掛けを提供することを目的とする。
【課題を解決するための手段】
【０００５】
上記目的を達成するため、本考案の売り上げカードは、
書籍用の売り上げカードであって、カード本体から突出する上部が、半円形以外の図形を象った形状か、直径（底部の幅）が2.5cm以上の半円形を有していることからなる。
【０００６】
また、前記図形が、自然物、人工物、キャラクター、又は創作図形であることが好適である。また、前記突出する上部が、半円形か否かにかかわらず、最大部で幅2.5cm以上、高さ1.0 cm以上の寸法を有することが好適である。
さらには、前記突出する上部が、最大部で幅が4.5cm以上の寸法を有することが好適である。
また、前記突出する上部に、文字、図形又はマトリクス型２次元バーコードの少なくともいずれかが記載されていることが好適である。
また、本体とぼうずとを合わせて一つの図形が構成されていることが好適である。
【０００７】
すなわち、本考案者は、これまでは専門の印刷業者により定型的に制作されており、殆ど注目されてこず、かつインターネット通販等では不要でさえある売り上げカードに着目し、当該売り上げカードの突出する上部（半円状の丸い切込みであって、業界では「ぼうず」と呼ばれる）部分を目立たせ、書籍から突出した時に一見してわかる大きさ又は形状として、実店舗等において、需要者に着目させることを可能な構造としたものである。
【０００８】
売り上げカードは、市販される書籍の中に挟む二つ折りの長細い伝票のことであり、書籍スリップ、短冊とも呼ばれることがある。一般的に、片面は補充注文用に使える伝票となっており、書籍用のバーコード、ISBN、Cコード、定価の総額表示と税率、本体価格、発行所、著者名と書名等が記載される。もう片面には、ISBN、Cコード、定価の総額表示と税率、本体価格、発行所、著者名と書名などが印刷される。ただし、これら全ての事項が記載されていなければならない趣旨ではなく、本願の売り上げカードは少なくとも何らかの伝票としての機能又は補充注文等の機能を有していれば良い。売り上げカードの中には、補充注文用のほかに、常備カード又は必備カードとなど呼ばれ、常備在庫として置いておくべき書籍に使用されるものなど、目的に応じていくつかの種類がある。補充注文用と常備用の２つの売り上げカードが１つの書籍に使用される場合もある。本考案は、いずれの形式の売り上げカードにも適用可能なものである。
通常、書籍が購入されたとき、売り上げカードは書店で抜かれるため、店頭で目に触れるものである。一般的には、およそ幅4.5センチ、二つ折りにした状態で13センチ程度である。そして、引き抜きを容易にするために、半円状の丸い切込みがあり、本から飛び出して使用される。
【０００９】
本考案によれば、突出する上部の切込みは、半円形以外の図形を象った形状か、幅2.5cm以上の半円形の寸法を有している。
上述の通り、ぼうず部分は現在、印刷業者により若干の違いはあるがほぼ定型的に制作されており、およそ幅1.8cm、高さ0.9cm程度の略半円形をしているが、本考案では、この定型的な構成概念を廃したものである。所謂「ぼうず」を、半円形以外の、例えばキャラクターや自然物などの形状として、まるでポップのように使用することが可能な形状とすることとしたものである。また半円形であった場合でも、直径が2.5cm以上として、書籍から大きく突出させ、目立つ構成としたものである。さらに、半円形か否かにかかわらず、最大部で幅2.5cm以上、高さ1.0 cm以上の形状があれば、従来の「ぼうず」部分との視覚的相違が大きく、需用者の注目を十分に集めることが出来る。さらには、最大部で幅が4.5cm以上あると、従来の売り上げカードの一般的な本体以上の幅となり、非常に強い意外性を与えることができる。
【００１０】
このような構成により、「ぼうず」部分に、書籍の内容やストーリーと関連した図形又は印刷内容を施し広告的な機能を生じさせることが可能となる。しかも、需要者が個別に選択して購入する「しおり」（例えば実用新案登録第３１５１３３８号公報などに記載のしおり）やクリップと異なり、流通時から挟み込まれているものであることから、全ての書籍に同じ売り上げフリップが挟まれていることなり、書籍全体としての「見せ方」の一部として制作することが可能になるものである。
【００１１】
さらに、十分な大きさがあることにより、例えば平積みされた場合に、上側へ「ぼうず」部分を折り、ポップのように使用させることも可能である。この場合、「ぼうず」部分にはまるで店員が書いたかのように、書籍の広告文（お勧め文）を印刷しておくという使用方法も可能である。この構成によれば、書籍毎に全国共通のポップを提供出来ることになるので、書籍の制作側で全国的に共通なポップを用意することが可能となる。広告文は通常のフォントで印刷されても良いし、手書きのように印刷されても良い。
【００１２】
他の実施の例としては、例えば絵本であれば書籍に登場するキャラクターを象った「ぼうず」部分を作成すれば、店舗内の他の絵本よりも目立たせることが可能であり、広告宣伝効果が期待できる上に、他の書籍との差別化が容易となる。キャラクター以外にも、書籍の内容や購買層によって自然物、人工物、多角形、又は創作図形とすることも可能である。自然物とは、例えば人間、動物、植物、山など、人為的なものではなく、自然界に存在する形あるものである。人工物とは、例えば本、車、飛行機など、人為的に制作された形あるものである。多角形とは、三角以上の角を持つ閉じた単純折れ線によって囲まれた図形であり、創作図形とは、制作者によって創作された図形を広く含む概念である。また、図形は「ぼうず」部分のみで完成されている場合だけではなく、本体と「ぼうず」部分とを合わせて一つの図形が完成する形式としても良い。
【００１３】
さらに、本考案の構成によれば、「ぼうず」部分が十分な大きさを有するため、マトリクス型２次元バーコードを印刷し、インターネットとの接続機能を持たせ、売り上げカードからネット情報へのアクセスを可能とすることが出来る
「ぼうず」部分は従来と同様、切り込みにより制作しても良いし、本体を二つ折りではなくぼうず部分を含めて一枚紙として制作するなど、本考案の目的を達する限り様々な構成を採用することが可能である。
売り上げカードの使用方法は、例えば箱入りの書籍の箱面上に配置し、全体をビニルでラッピングするなど、書籍に挟む場合だけに限られず、公知方法を含めた様々な使用方法に使用できる。
【００１４】
売り上げカードの本体（ぼうず以外の部分）は、一般的な規格（幅4.5センチ、二つ折りにした状態で13センチ）を使用しても良いが、これに限られるものではなく、当該「ぼうず」部分の造形などに合わせて、売り上げカード本体の大きさや形状も自由に設計することができる。
【００１５】
売り上げカードに使用される紙の素材としては、上質紙など一般的に売り上げカードに使用されているものが選択されるが、ぼうず部分を立てて使用することから、通常の売り上げカードには使用されない、より厚い用紙を使用しても良い。
【考案の効果】
【００１６】
上記のように、本考案の構成によれば、所謂「ぼうず」部分を広告宣伝に利用出来ることが可能になり、需要者が実店舗で書籍を購入するモチベーションを向上させるような仕掛け、また、需要者を特定の書籍に注目させるための仕掛けを提供することが可能となる。
【図面の簡単な説明】
【００１７】
【図１】本考案の売り上げカードの表面を示す図である。
【図２】本考案の売り上げカードの背面を示す図である。
【図３】本考案の売り上げカードの使用状態を示す図である。
【考案を実施するための形態】
【００１８】
以下、本考案の実施の一例を図面にしたがって説明する。図１は、本考案の売り上げカード１の表面を示す図である。図２は売り上げカード１の背面を示す図である。図３は、本考案の売り上げカード１の使用状態を示す図である。
【００１９】
図に示すように、本考案に係る売り上げカード１は、ぼうず部分２が猫のキャラクターの形をしており、猫の顔が描かれている。背面から見るとわかるように、ぼうず部分２は本体２を切り込むことによって制作されている。
本実施例では、ぼうず部分２は本体３と接続する底部で８．５ｃｍ、耳の先端までの高さが４．５ｃｍとなっている。本体３は二つ折りされており、折った状態で幅１０ｃｍ、長さが１５．８ｃｍである。なお、背面は本体３の長さが若干短くレイアウトされている。
売り上げカード１は、従来の売り上げカードよりも厚みのある上質紙を使用し、ぼうず部分２を折り曲げてその状態を維持することがより容易になっている。
【００２０】
図３では、実際に本考案に係る売り上げカード１が書籍４に挟まれ、平積み状態でぼうず部分２を折り曲げて立たせている使用状態を示している。
すなわち、売り上げカード１を書籍４に挟むと、ぼうず部分２は書籍４から突出するが、この突出したぼうず部分２を平積みした書籍４に対して垂直に折り曲げて立てることで、来店者により視認されやすくなる。縦置きされた状態でも、ぼうず部分２は他の書籍よりも目立つため、需用者の注目を集めやすく、書店での購入のモチベーションを向上させることが出来る。
【００２１】
本体３には、図面には示されていないが、従来の売り上げカードと同様に、補充注文カード面には書籍用のバーコード、ISBN、Cコード、定価の総額表示と税率、本体価格、発行所、著者名と書名等が記載される。売上げカード面には、ISBN、Cコード、定価の総額表示と税率、本体価格、発行所、著者名と書名等が印刷される。
【符号の説明】
【００２２】
１  売り上げカード
２  ぼうず部分
３  本体
４  書籍
【図１】
0003200986.tif 000003
【図２】
0003200986.tif 000004
【図３】
0003200986.tif 000005